(57)【要約】  媒介用配管、例えば管（９，１０）を管部材、特に管に接続するための接続要素において、少なくとも２個の管接続部（１，２）を含む少なくとも第一のプラグ状接続要素（３）が設けられる。そのプラグ部分は軸線方向にずれていて半径方向の、それぞれ管接続部（１，２）に接続されている開口（６，７）を含む。差込み軸線（８）の周りを回転可能に前記のプラグ状接続要素（３）を受け入れる少なくとも１個のソケット状の接続要素（２６）が設けられる。そのソケット状の接続要素の壁もまた、前記プラグ状接続要素（３）の半径方向の開口（６，７）の軸線方向の距離に対応する軸線方向の距離において半径方向の開口（１４，１５）を含む。前記ブッシュ状およびプラグ状接続要素（３，２６）の壁は、相互に対してシールされ、隣接する半径方向の開口（６，７，１４，１５）の間で、並びに前記ソケット状および（または）プラグ状接続要素（３，２６）の軸線方向端部に向かって配置されている、リングあるいはディスク状のシール要素（１８）を含む。
2009519407.tif 000002
【特許請求の範囲】
【請求項１】
例えばホースのような媒介用配管を、管部材、特に管に接続する接続要素であって、少なくとも２個のホース接続部（１，２）を有し、そのプラグ部分が、各々ホース接続部（１，２）に接続されている軸線方向にずれている半径方向の開口（６，７）を含む少なくとも第一のプラグ状接続部材（３）が設けられており、かつ前記のプラグ状接続部材（３）を差込み軸線（８）の周りで回転可能な態様で受け入れるための少なくとも１個のソケット状接続部材（２６）が設けられており、前記ソケット状接続部材の壁も同様に前記プラグ状接続部材（３）の前記半径方向の開口（６，７）の軸線方向の距離に対応する軸線方向の距離において半径方向の開口（１４，１５）を含み、前記のソケット状接続部材と前記のプラグ状接続部材（３，２６）の壁が、隣接する半径方向の開口（６，７，１４，１５）の間で相互に対して、並びに前記のソケット状接続部材（２６）および（または）プラグ状接続部材（３）の軸線方向端部に対してシールする環状の、あるいはディスク状のシール（１８）を含む接続要素において、前記のプラグ状接続部材（３）の差込み深さが弾性の停止部（１２）によって制限され、前記の弾性の停止部（１２）が相手側の停止部（２２，２３）と掛け止めされる弾性のロッキング部材であることを特徴とする接続要素。
【請求項２】
前記半径方向の開口（６，７，１４，１５）が環状の溝からなるか、あるいは環状の溝（１６，１７）の中へ開放していることを特徴とする請求項１に記載の接続要素。
【請求項３】
Ｏリングのシール（１８）が隣接する環状の溝（１６，１７）の間で、かつその外側で配置されていることを特徴とする請求項１または２に記載の接続要素。
【請求項４】
ソケット状の接続部材（２６）を担持している接続ボックスがガスを供給するために設けられていることを特徴とする請求項１から３までのいずれか１項に記載の接続要素。
【請求項５】
第一のプラグ状接続部材あるいはそれぞれのソケット状接続部材（３，２６）に固定可能なホース接続部の数を上回る多数のホース接続部（１，２）に対して、前記第一の接続部材のものとは相違する外径および内径を有する別のプラグ状およびソケット状接続部材（３，２６）が設けられることを特徴とする請求項１から４までのいずれか１項に記載の接続要素。
【発明の詳細な説明】
【技術分野】
【０００１】
本発明は、媒介配管（ｍｅｄｉａ  ｌｉｎｅｓ）、例えばホースを管部材（ｔｕｂｕｌａｒ  ｐｉｅｃｅ）に接続する接続要素（ｃｏｎｎｅｃｔｉｏｎ  ｅｌｅｍｅｎｔ）であって、少なくとも２個のホース接続部を有する少なくとも一つの第一のプラグ状の接続部材が設けられ、かつ前記接続部材のプラグ部分がホース接続部と各々が接続されている軸線方向にずれた半径方向の開口を含み、前記のプラグ状接続部材を差込み軸線（ｐｌｕｇ−ｉｎ  ａｘｉｓ）の周りで回転するような仕方で受け入れる少なくとも１個のソケット状の接続部材が設けられており、前記のソケット状接続部材の壁部分も同様に、前記プラグ状接続部材の半径方向の開口の軸線方向距離に対応する軸線方向距離において半径方向の開口を含んでおり、前記ソケット状およびプラグ状接続部材の壁が、隣接する半径方向の開口の間で相互に対して、並びに前記ソケット状および（または）プラグ状接続部材の軸線方向端部に対してシールする環状あるいはディスク状のシールを含んでいるような接続要素に関するものである。
【背景技術】
【０００２】
このようなタイプの接続要素は例えば英国特許第２１９０９６９Ａ号（ＧＢ２１９０９６９  Ａ）から知ることができる。
【０００３】
呼吸用ホース等のための接続要素は、例えばドイツ特許第２９８２３０９０  Ｕ１号（ＤＥ  ２９８２３０９０  Ｕ１）に記載されている。そのような既知の概ねＹ字形の接続要素は別の管状部材中へ開放しており、ホースを滑らせて脱着しやすくするために接続要素の滑り止め面（ｎｏｎ−ｓｋｉｄ  ｓｕｒｆａｃｅ）が提案されてきた。
【０００４】
一般に近代的な呼吸装置においてかなりな数のホースが接続されるが、個々のホースは各々異なる機能に供され、従って管内部で個別に開放する必要がある。従って、複数の種々のホースにそのような管を迅速かつ適正に接続することは患者の安全に関して最も重要なことである。ホースとプラグによる接続（ｈｏｓｅ  ｐｌｕｇ  ｃｏｎｎｅｃｔｉｏｎｓ）は基本的に各種の形態で知られている。プラグ部分と内部が該プラグ部分と概ね形状的に適合する態様で形成されているソケット部分とを含むホースとプラグによる接続が、例えばドイツ特許第３５２９０５２  Ａ１号（ＤＥ  ３５２９０５２  Ａ１）から知られている。そのような形態においては、相互の接続は極めて特定的で規定された回転位置においてのみ可能とされ、患者の動きや位置との相関関係で種々のトルクにホース接続部が適合する必要があり、それはその後管に対してもそれぞれのトルクを加えることになり、従って望ましくない負荷を導入するので、呼吸装置における使用には余り適していない。
【発明の開示】
【発明が解決しようとする課題】
【０００５】
本発明は最初に述べた種類の接続要素を、混同する危険性がなく、安全に接続された後、複数の種々のホースが管に対応して設けられたそれぞれの複数の開口や諸々の距離における開口との緊密でかつ安全な接続に対して影響を与えることなく、適度に自由な動きができるようにする、例えば気管チューブの相手側の接続部と迅速に接続しうる程度まで更に展開することを目的とする。従って、管の内部におけるそれぞれの開口に対する個々のホースの密封効果と正確な割り当て（ａｓｓｉｇｎｍｅｎｔ）との双方がいずれの位置においても保持され、かつ特に種々のガスのための、あるいは種々の測定手順に対して複数の種々のホースを簡単に接続し、一方ホースの混同の危険性を排除することが確実とされる。
【課題を解決するための手段】
【０００６】
この目的を解決するために、本発明による接続要素は、少なくとも２個のホース接続部を有する少なくとも第一のプラグ状接続部材が設けられ、そのプラグ部分がそれぞれホース接続部に接続された軸線方向にずれた半径方向の開口を含み、差込み（ｐｌｕｇ−ｉｎ）の軸線の周りで回転するような態様で前記プラグ状接続部材を受け入れるための少なくとも１個のソケット状接続部材が設けられており、前記のソケット状接続部材の壁も同様に前記プラグ状接続部材の半径方向の開口の軸線方向距離に対応した軸線方向距離において半径方向の開口を含み、前記のソケット状接続部材とプラグ状接続部材の壁が隣接する半径方向の開口の間で相互に対して、並びに前記のソケット状および（または）プラグ状接続部材の軸方向端に対してシールする環状あるいはディスク状シールを含むような形態から逸脱して、基本的に前記プラグ状接続部材の差し込み深さが弾性的な停止部（ｓｔｏｐｓ）によって制限され、前記の弾性的な停止部が相手側の停止部と掛け止めされる弾性のロッキング部材として設計されることからなる。本発明によるプラグ部分はソケット状の接続部材に回転可能に受け入れられるようにされ、かつ各プラグ部分の少なくとも２個のそれぞれのホース接続部が半径方向の開口を介して相互から異なる軸線距離において開放するようにすることによって、それぞれの半径方向に出て行くガスあるいは半径方向に吸引されるガスがそれぞれの環状溝あるいはそれぞれのソケット側の開口中へ、たとえプラグ状接続部材が回転しているときであっても正確に入ることを確実にすることが可能となる。プラグ部分とソケット状接続部材とを特に構造的に簡単な形態とすることによってプラグ部分と対応するソケット状接続部材とを２個あるいはそれ以上の多数のホース接続部に対しても各々設計できるようにし、多数のホース接続部の場合、特に４個あるいはそれ以上のホース接続部に対して、外径に対応する第一の直径を有するプラグ部分が２個のそのようなホース接続部に対して選択され、それぞれのそれ以上のプラグ部分に対しては、簡単な差込み接続を介してそれぞれの接続部を安全に割り当てできるようにするために第一のプラグ部分のものとは相違する外径が選択される。この目的に対して、第一のプラグ状接続部材、あるいはそれぞれのソケット状接続部材に固定可能なホース接続部の数を上回る多数のホース接続部に対して、第一の接続部材のものとはそれぞれ相違する外径と内径を有する別のプラグ状およびソケット状の接続部材が設けられるような形態が構成されることが好ましい。したがって、ガスの供給、および任意に同時あるいは連続的に異なる箇所において異なる脈動頻度（ｐｕｌｓｅ  ｆｒｅｑｕｅｎｃｉｅｓ）で導入されるガスの供給のためのプラグ部分の直径よりも大きな、あるいはより小さい直径を有するプラグ部分を含み、ガスの圧力および（または）成分を測定するために供されるホース接続部を選択することが可能である。
【０００７】
プラグ部分をソケット状接続部材に挿入するとき、それぞれの半径方向の開口接続部は軸線方向に相互に整合している、すなわちガス気密接続状態で装着しうることを基本的にしておく必要がある。この目的に対して、プラグ状の接続部材の差込み深さは弾性の停止部によって制限され、該弾性の停止部は同時に相手側の弾性停止部と掛け止めされる弾性ロッキング部材として設計されるような形態が構成される。従って、そのような弾性停止部は一方では、正確な差込み位置を、他方では同時に、スリーブ内でのプラグ部分の回転性を同時保持しながら引き抜きに対して固定されることを保証する。
【０００８】
半径方向の開口が環状溝によって形成されるか、あるいは環状の溝の中へ開放するようにし、隣接する環状溝の間で、かつその外側でＯリングが配置されることが好ましいように構造的に特に簡単な態様で接続要素を構成することができる。
【０００９】
本発明による形態は、ガスを供給するためにソケット状の接続部材を有する接続ボックスが設けられるように極めて簡単な態様で構成される。そのような構成によってガス供給配管あるいはそれぞれの測定装置と管の間でホースを取り外すことができるようにし、必要な掃除を著しくし易くする。
【００１０】
図面に概略的に示されている実施例によって本発明を以下詳細に説明する。
【００１１】
図１から、２個のホース接続部分１，２は明らかであり、それらはプラグ部分３に接続され、それぞれ概ね軸線方向の流路４，５を介して軸線方向に隣接する半径方向の開口６，７中へ開放している。その軸線は鎖線８によって概略指示されている。前記プラグ部分は諸々の目的に使用しうる２本のホース９，１０を担持している。そのようなホースは特に、呼吸ガスを供給するために呼吸装置に設けることが可能で、それによって酸素を近代的な呼吸装置において脈動的に、あるいは調整された態様で供給することができる。各々適当な頻度で脈動しているガスはその後諸々の位置において管の内部へ入り、そのため前記管の内部において諸々の位置に連通する個別の半径方向開口６，７が当該装置を機能できるようにする上で極めて重要となる。
【００１２】
図１において、ホースを安全確実に着座させる目的の締め付け用コイルが１１によって指示されている。矢印１３の方向に外方へ枢動可能となるようにプラグ状接続部材に接続されたばねクリップからなる弾性停止部が１２によって示されている。
【００１３】
図２はソケット状の接続部材を示し、半径方向の開口６，７と各々整合している半径方向の接続部はそれぞれ１４，１５で示されている。図１に示すプラグ部分の諸々の回転位置における安全で緊密な接続を確実なものとするために、図１および図２に示す構成においてはプラグ部分に形成されている環状の溝１６，１７が設けられている。隣接する環状溝１６，１７の間で、かつその外側においては、図１に示すプラグ状の接続部材を図２に示すソケット中へ挿入した後異なる回転位置であっても図２における半径方向の開口１４，１５に対する安全かつガス密の接続を確実なものとするためにシール要素としてＯリング１８が設けられている。これらの半径方向開口は続いて、例えば種々の遠位方向の距離および（または）近位方向の距離において管の内部で終わるようにしうる軸線方向の接続部材１９，２０中へと通じる。ソケット状の接続部材の差込み端２１の近傍に環状リブ２２が設けられており、該環状リブはプラグ状接続部材３が挿入されると弾性のクリップと重なり、該クリップは図１に矢印１３で示す方向に短く入り込み、その後連続した溝２３中へ掛け止めされ、従ってプラグ部分がソケットから引き抜かれるのに抗することができる。ソケット２６をねじ込むことのできる装置の正面プレートが２４で示されている。
【００１４】
図２においても、差込み軸線は８によって示されており、半径方向の孔１４，１５は外側でねじ２５によって密封されている。
【図面の簡単な説明】
【００１５】
【図１】２個の滑り込みホース端を備えたプラグ部分の断面図を示す。
【図２】図１に示すプラグと共に使用するそれぞれのソケット状接続部材の断面図を示す。
【図１】
2009519407.tif 000003
【図２】
2009519407.tif 000004
【手続補正書】
【提出日】平成19年10月12日(2007.10.12)
【手続補正１】
【補正対象書類名】特許請求の範囲
【補正対象項目名】全文
【補正方法】変更
【補正の内容】
【特許請求の範囲】
【請求項１】
例えばホースのような媒介用配管を、管部材、特に管に接続する接続要素であって、少なくとも２個のホース接続部（１，２）を有し、そのプラグ部分が、各々ホース接続部（１，２）に接続されている軸線方向にずれている半径方向の開口（６，７）を含む少なくとも第一のプラグ状接続部材（３）が設けられており、かつ前記のプラグ状接続部材（３）を差込み軸線（８）の周りで回転可能な態様で受け入れるための少なくとも１個のソケット状接続部材（２６）が設けられており、前記ソケット状接続部材の壁も同様に前記プラグ状接続部材（３）の前記半径方向の開口（６，７）の軸線方向の距離に対応する軸線方向の距離において半径方向の開口（１４，１５）を含み、前記のソケット状接続部材と前記のプラグ状接続部材（３，２６）の壁が、隣接する半径方向の開口（６，７，１４，１５）の間で相互に対して、並びに前記のソケット状接続部材（２６）および（または）プラグ状接続部材（３）の軸線方向端部に対してシールする環状の、あるいはディスク状のシール（１８）を含む接続要素において、それぞれの相手側の停止部と協同する弾性の停止部（１２）が前記のプラグ状接続部材（３）の差込み深さを制限し、前記の弾性の停止部（１２）が相手側の停止部（２２，２３）と掛け止めされる弾性のロッキング部材であることを特徴とする接続要素。
【請求項２】
前記半径方向の開口（６，７，１４，１５）が環状の溝からなるか、あるいは環状の溝（１６，１７）の中へ開放していることを特徴とする請求項１に記載の接続要素。
【請求項３】
Ｏリングのシール（１８）が隣接する環状の溝（１６，１７）の間で、かつその外側で配置されていることを特徴とする請求項１または２に記載の接続要素。
【請求項４】
ソケット状の接続部材（２６）を担持している接続ボックスがガスを供給するために設けられていることを特徴とする請求項１から３までのいずれか１項に記載の接続要素。
【請求項５】
第一のプラグ状接続部材あるいはそれぞれのソケット状接続部材（３，２６）に固定可能なホース接続部の数を上回る多数のホース接続部（１，２）に対して、前記第一の接続部材のものとは相違する外径および内径を有する別のプラグ状およびソケット状接続部材（３，２６）が設けられることを特徴とする請求項１から４までのいずれか１項に記載の接続要素。
【国際調査報告】
2009519407.tif 000005
2009519407.tif 000006
2009519407.tif 000007
2009519407.tif 000008
2009519407.tif 000009
2009519407.tif 000010